(57)【要約】【課題】ズボンの幅が太いものから細いものまで一本でズボンを横杆の中央部に挟持でき、ハンガーの傾きやズボンのずり落ちを防止できる衣料用ハンガーを提供する。【解決手段】フック部１の下部に、上着を掛ける左右の肩部２が一体に形成され、両肩部２の両端部間にズボン掛け用の横杆３が一体に形成されている。横杆３の両端部の下方には、可撓性の第１のズボン挟持片４の基端部を一体に連設し、その内側に、同じく可撓性の第２のズボン挟持片５の基端部を一体に連設する。第１のズボン挟持片４の先端部４ａは、第２のズボン挟持片５の下部中途部の基端部寄りの位置に近接した状態に配置する。太幅から中間幅のズボンは第１のズボン挟持片４の先端部４ａと第２のズボン挟持片５の下部中途部との間で挟持し、細幅のズボンは第２のズボン挟持片５の先端部５ａと横杆３の下部の挟持片受け部３ａとの間で挟持する。【選択図】図１
0003158192.tif 000002
【実用新案登録請求の範囲】
【請求項１】
上着を掛ける左右の肩部とズボン掛け用の横杆とを一体に形成した衣料用ハンガーにおいて、
前記横杆の両端部に、左右一対の第１のズボン挟持片の基端部を一体に連設し、
前記横杆における前記第１のズボン挟持片の基端部よりも内側の位置に、左右一対の第２のズボン挟持片の基端部を一体に連設したことを特徴とする衣料用ハンガー。
【請求項２】
前記第１のズボン挟持片および前記第２のズボン挟持片の基端部をそれぞれ前記横杆の下部に連設し、前記第１のズボン挟持片の基端部近傍に、前記第１のズボン挟持片がズボンを挟持する状態を保持するロック機構を一体に設けたことを特徴とする請求項１記載の衣料用ハンガー。
【請求項３】
前記第２のズボン挟持片の下部中途部に前記第１のズボン挟持片の先端部上部が近接した状態に前記第１のズボン挟持片が配置されていることを特徴とする請求項２記載の衣料用ハンガー。
【請求項４】
前記第１のズボン挟持片は前記横杆の上部に、前記第２のズボン挟持片は前記横杆の下部に、それぞれ設けたことを特徴とする請求項１記載の衣料用ハンガー。
【考案の詳細な説明】
【技術分野】
【０００１】
本考案は、特にクリーニング仕上げされたズボンを、横杆からずり落ちないように掛ける機構を有した衣料用ハンガーに関する。
【背景技術】
【０００２】
上着を掛ける肩部と、ズボンを掛ける横杆を一体に設けた衣服用ハンガーでは、ズボンが横杆からずり落ちないように色々工夫されている。
【０００３】
例えば、特許文献１には、左右傾斜アーム部と、この傾斜アーム部の下部を連結する水平杆部とを有し、かつ、水平杆部の両端の下方にズボン滑り止めのための挟持片を付設したハンガーが開示されている。
【０００４】
また、特許文献２には、衣服を支持するための衣服支持部と、この衣服支持部の略中央上部に連設されたフック部と、衣服支持部の下端部分を連通した、ズボン等を吊り下げるための横杆と、この横杆の少なくとも一端部の下方側において、内方側へ向けて横杆と略並行状態にして設けた、前記横杆に吊り下げたズボン等を挟持する挟持片とを備え、挟持片は、ハンガーの前後方向へ向けて湾曲状にして突出させた複数個の押圧部を有するとともに、複数個の押圧部はそれぞれ、隣り合う押圧部とは反対方向へ向けて突出しているハンガーが開示されている。
【０００５】
特許文献３には、上着を掛ける左右の肩部とズボン掛け用の横杆とを一体に形成した衣料用ハンガーにおける前記横杆の両端部の下方に、可撓性のズボン挟持片の基端部を一体に連設して前記ズボン挟持片と前記横杆の下部との間でズボンが挟持されるようにし、かつ前記ズボン挟持片の基端部近傍に、前記ズボン挟持片が前記横杆の下部との間でズボンを挟持する状態を保持するロック機構を一体に設けた衣料用ハンガーが開示されている。
【先行技術文献】
【特許文献】
【０００６】
【特許文献１】実用新案登録第３０３９４６６号公報
【特許文献２】特開２００６−１０２３７１号公報
【特許文献３】実用新案登録第３１５０９４３号公報
【考案の概要】
【考案が解決しようとする課題】
【０００７】
上述した特許文献１〜３に開示されたハンガーでは、ズボンの挟持片は横杆の左右２箇所に設けられており、ズボンを丈方向に二つ折りして横杆に掛け、ズボンの幅方向の両端をそれぞれ挟持片で挟持するのであるが、脚部が細幅のズボンの場合は、ズボンの脚部の幅が左右の挟持片の取付位置の間隔よりも狭く、一方の挟持片でズボンの脚部の一方を挟持すると、他方の挟持片にズボンの脚部の他方が届かず、そのためズボンが横杆の片方に寄せられた状態となる。
【０００８】
ズボンが横杆の片方に寄せられた状態で一方の挟持片でのみ挟持されると、ハンガーが傾き、クリーニング工場の自動包装機でトラブルが生じている。また、クリーニング工場からクリーニング店に輸送される際、あるいはクリーニング店でハンガー吊りパイプに掛けて保管する間、ズボンが一方に傾いてしわが付くという問題が生じ、顧客からクレームが付くおそれがある。
【０００９】
細幅のズボン用に、挟持片の間隔を狭くしたハンガーを用意すればその問題は解決するが、二種類のハンガーを製造するにはコストが掛かり、また二種類のハンガーの使用比率が特定できないため、在庫管理も煩雑になるという問題がある。
【００１０】
本考案は、ズボンの幅が太いものから細いものまで一本でズボンを横杆の中央部に挟持でき、ハンガーの傾きやズボンのずり落ちを防止できる衣料用ハンガーを提供することを目的とする。
【課題を解決するための手段】
【００１１】
前記課題を解決するため、本考案の第１の構成は、上着を掛ける左右の肩部とズボン掛け用の横杆とを一体に形成した衣料用ハンガーにおいて、前記横杆の両端部に、左右一対の第１のズボン挟持片の基端部を一体に連設し、前記横杆における前記第１のズボン挟持片の基端部よりも内側の位置に、左右一対の第２のズボン挟持片の基端部を一体に連設したことを特徴とする。
このように、横杆の端部に第１のズボン挟持片の基端部を連設し、それよりも内側に第２のズボン挟持片の基端部を連設したことにより、ズボンの幅が太いものから細いものまで、いずれかのズボン挟持片でズボンの幅方向の両側を挟持することができる。これにより、横杆の中央部にズボンを保持することができる。
【００１２】
本考案の第２の構成は、前記第１のズボン挟持片および前記第２のズボン挟持片の基端部をそれぞれ前記横杆の下部に連設し、前記第１のズボン挟持片の基端部近傍に、前記第１のズボン挟持片がズボンを挟持する状態を保持するロック機構を一体に設けたことを特徴とする衣料用ハンガーである。
ロック機構を設けたことにより、ズボンに対する挟持力を高めることができ、ロック機構がハンガー本体と一体化されているので、別商品のクリップを購入したり、取り付けたりする必要がなく、コストダウン、作業効率のアップになる。また、第１のズボン挟持片のみで長時間ズボンを押さえていると、ズボンを取り外しても開き癖が付いた状態となり、ハンガーをリユースする際、第１のズボン挟持片と横杆側の間に隙間が生じることがあるが、ロック機構を使えば、確実に生地を挟むことでリユースが可能であり、ハンガーを廃棄しなくて済む。
【００１３】
本考案の第３の構成は、前記第２のズボン挟持片の下部中途部に前記第１のズボン挟持片の先端部上部が近接した状態に前記第１のズボン挟持片が配置されていることを特徴とする衣料用ハンガーである。
このように、第２のズボン挟持片の下部中途部が第１のズボン挟持片の先端部上部と近接して配置されていることにより、横杆に掛けられた細幅のズボンの幅方向の左右を第２のズボン挟持片で挟持したとき、第２のズボン挟持片はズボンの厚みで下方に開くが、第１のズボン挟持片の先端がその開きを抑制するように作用し、さらに第１のズボン挟持片のロック機構を用いて第１のズボン挟持片の先端の下方の撓みを抑制すると、第２のズボン挟持片も撓みを抑制されることになり、ズボンの挟持力を向上することができる。さらに、経年変化や疲労により第２のズボン挟持片の挟持力が低下しても、第１のズボン挟持片のロック機構により挟持力を維持することができる。
【００１４】
本考案の第４の構成は、前記第１のズボン挟持片は前記横杆の上部に、前記第２のズボン挟持片は前記横杆の下部に、それぞれ設けたことを特徴とする衣料用ハンガーである。
このように、横杆の上部に第１のズボン挟持片を設け、それよりも内側の横杆の下部に第２のズボン挟持片を設けたことにより、前記の第２の構成を前提とした第３の構成のように第１のズボン挟持片と第２のズボン挟持片の位置関係の制約がなく、独立した位置設定が可能となる。
【考案の効果】
【００１５】
本考案によれば、上着を掛ける左右の肩部とズボン掛け用の横杆とを一体に形成した衣料用ハンガーにおいて、横杆の両端部に、左右一対の第１のズボン挟持片の基端部を一体に連設し、横杆における第１のズボン挟持片の基端部よりも内側の位置に、左右一対の第２のズボン挟持片の基端部を一体に連設することにより、ズボンの幅が太いものから細いものまで一本でズボンを横杆の中央部に挟持でき、ハンガーの傾きやズボンのずり落ちを防止することができる。
また、第１のズボン挟持片および第２のズボン挟持片の基端部をそれぞれ横杆の下部に連設し、第１のズボン挟持片の基端部近傍に、第１のズボン挟持片がズボンを挟持する状態を保持するロック機構を一体に設けることにより、ズボンに対する挟持力を向上、維持することができる。
さらに、第２のズボン挟持片の下部中途部に第１のズボン挟持片の先端部上部が近接した状態に第１のズボン挟持片を配置することにより、第１のズボン挟持片のロック機構で第２のズボン挟持片の挟持力を補強することができる。
第１のズボン挟持片を横杆の上部に、第２のズボン挟持片を横杆の下部に設けることによって、第１のズボン挟持片と第２のズボン挟持片の位置を独立して自由に設定することが可能となる。
【図面の簡単な説明】
【００１６】
【図１】本考案の第１の実施の形態に係る衣料用ハンガーの斜視図である。
【図２】本考案の第１の実施の形態に係る衣料用ハンガーの要部拡大図であり、（ａ）はロック機構を開放した状態、（ｂ）はロック機構を用いてロックした状態を示す。
【図３】本考案の第１の実施の形態に係る衣料用ハンガーの使用状態を示す正面図である。
【図４】本考案の第１の実施の形態に係る衣料用ハンガーの使用状態を示す正面図である。
【図５】本考案の第２の実施の形態に係る衣料用ハンガーの正面図である。
【考案を実施するための形態】
【００１７】
以下、本考案の第１の実施の形態を、図面を参照しながら説明する。
本考案の第１の実施の形態に係る衣料用ハンガーは、図１に示すように、フック部１の下部に、上着を掛ける左右の肩部２が一体に形成され、両肩部２の両端部同士をつなぐように、ズボン掛け用の横杆３が一体に形成されている。
【００１８】
横杆３の両端部の下方には、可撓性の第１のズボン挟持片４の基端部が一体に連設され、第１のズボン挟持片４の基端部よりも内側に、同じく可撓性の第２のズボン挟持片５の基端部が一体に連設されている。
第１のズボン挟持片４の先端部４ａは、第２のズボン挟持片５の下部中途部の基端部寄りの位置に近接した状態に配置されている。この配置により、第１のズボン挟持片４の先端部４ａと第２のズボン挟持片５の下部中途部との間で太幅から中間幅のズボンが挟持されるようにしている。また、第２のズボン挟持片５の先端部５ａと横杆３の下部の挟持片受け部３ａとの間で細幅のズボンが挟持されるようにしている。
第１のズボン挟持片４の後端部には係止部４ｂが延出して設けられており、肩部２の端部には、ロック片４ｃの基端部が連設されている。図２に拡大して示すように、係止部４ｂの先端付近に凸部４ｄが設けられており、この凸部４ｄに係合する凹部４ｅがロック片４ｃの先端に設けられていて、これらによりロック機構が形成されている。
【００１９】
このロック機構の作用は次の通りである。横杆３にズボンを掛けて第１のズボン挟持片４で挟んだ後、ロック片４ｃを第１のズボン挟持片４の後端係止部４ｂに押し込むことで凸部４ｄと凹部４ｅが係合し、これによりロック状態が維持される。ロック片４ｃを強く外側に引っ張れば、凸部４ｄと凹部４ｅが外れ、ロック状態が解除される。
【００２０】
横杆３は、図３に示されているように、ズボンを掛けない自然状態では一点鎖線で示す水平位置よりも中央部がΔＨだけ高くなるように緩く湾曲している。これにより、横杆３にズボンを掛けたときにズボンの重さが横杆３に掛かって横杆３がほぼ水平になる。横杆３が自然状態で水平であると、ズボンを掛けたときの重みで中央部が下に湾曲し、ズボンが自重で横杆３の中央部に寄せられてしわが寄ることになるが、横杆３の中央部を上方に湾曲させておくことにより、ズボンを水平に吊すことができる。横杆３の下部には垂直方向の曲がりに対する補強のための壁部３ｂが形成されている。
【００２１】
本実施の形態の衣料用ハンガーの横杆３に太幅から中間幅のズボンを掛けた状態を図３に示す。ズボンをその丈のほぼ中央部が横杆３に位置するように２つ折りして横杆３に掛け、折り返した部分が第１のズボン挟持片４と第２のズボン挟持片５の間に来るようにズボンの端部を押し込む。
【００２２】
ズボンを第１のズボン挟持片４で挟んだ後、図２に示すように、ロック片４ｃを押し込んで係止部４ｂの凸部４ｄがロック片４ｃの凹部４ｅに係合するようにすると、第１のズボン挟持片４の弾力でズボンは挟持される。このとき、第１のズボン挟持片４の先端部４ａと第２のズボン挟持片５の下部中途部の基端部寄りの部分との相対面を、角のない丸みを持たせた形状とすることにより、ズボンに痕がつきにくい。このように、第１のズボン挟持片４をロック機構でロックすることにより、ズボンに対する挟持力を高めることができる。
【００２３】
本第１の実施の形態の衣料用ハンガーの横杆に細幅のズボンを掛けた状態を図４に示す。ズボンをその丈のほぼ中央部が横杆３に位置するように２つ折りして横杆３に掛け、折り返した部分が第２のズボン挟持片５と横杆３の下部の挟持片受け部３ａの間に来るようにズボンの端部を押し込む。
【００２４】
ズボンを第２のズボン挟持片５で挟んで長時間放置すると、第２のズボン挟持片５が永久変形して開いた状態となり、閉じなくなって、ユーザからクリーニング店に戻ってきた物をリユースした場合、押さえの機能が果たせなくなり、廃棄せざるを得なくなるが、本実施の形態の衣料用ハンガーでは、第２のズボン挟持片５が永久変形しても、ロック機構を用いることにより、ズボンを挟持する機能を維持することができる。
【００２５】
すなわち、ズボンを第２のズボン挟持片５で挟んだ後、図２に示すように、ロック片４ｃを押し込んで係止部４ｂの凸部４ｄがロック片４ｃの凹部４ｅに係合するようにすると、第１のズボン挟持片４の弾力で第２のズボン挟持片５の下部中途部が下方から支えられ、その補強された状態で第２のズボン挟持片５によりズボンが挟持される。このように、第１のズボン挟持片４をロック機構でロックすることにより、第２のズボン挟持片５も押し上げられてズボンを挟持するので、第２のズボン挟持片５の挟持力を補強して、ズボンを挟持する機能を維持することができる。
【００２６】
以上の説明では、新品の衣料用ハンガーの使用時にも、横杆に掛けたズボンをロック機構を用いて把持するようにしている。しかし、ズボンの生地や厚み、種類によっては、従来のハンガーと同様に、ズボン挟持片のみでも、ズボンが移動しない十分な挟持力を持つことがある。その場合、ロック機構は用いなくてよい。ところが、ズボンを挟み長時間放置すると、第１および第２のズボン挟持片が開いた状態となり、開いた形状のまま癖が付き、リユースした場合、押さえの機能が果たせなくなることになる。しかし、本第１の実施の形態ではロック機構を有しているので、ロック機構を用いれば、挟持力が弱くなった第１または第２のズボン挟持片を、ズボンを挟んだ状態でロックすることにより挟持力を強化することができ、リユースが可能となる。
【００２７】
本考案の第２の実施の形態に係る衣料用ハンガーを図５に示す。本実施の形態においては、フック部１１の下部に、上着を掛ける左右の肩部１２が一体に形成され、両肩部１２の両端部同士をつなぐように、ズボン掛け用の横杆１３が一体に形成されている。
【００２８】
横杆１３の両端部の上方には、可撓性の第１のズボン挟持片１４の基端部が一体に連設され、第１のズボン挟持片１４の基端部よりも内側の位置であって、横杆１３の下部に、同じく可撓性の第２のズボン挟持片１５の基端部が一体に連設されている。
この配置により、第１のズボン挟持片１４の先端部１４ａと横杆１３の間で太幅から中間幅のズボンを挟持し、第２のズボン挟持片１５の先端部１５ａと横杆１３との間で細幅のズボンが挟持されるようにしている。
【００２９】
前述の第１の実施の形態では、第１のズボン挟持片４のロック機構で第２のズボン挟持片５の挟持力を補強するために、第１のズボン挟持片４と第２のズボン挟持片５の両方とも横杆３の下部に形成し、かつ、第２のズボン挟持片５の下部中途部に第１のズボン挟持片４の先端部上部が近接した状態に第１のズボン挟持片４を配置している。これに対し、第２の実施の形態では、第１のズボン挟持片１４を横杆１３の上部に、第２のズボン挟持片１５を横杆１３の下部にそれぞれ形成することによって、第１のズボン挟持片４のロック機構で第２のズボン挟持片５の挟持力を補強するという機能はないものの、第１のズボン挟持片１４と第２のズボン挟持片１５の位置関係の制約がなく、第１のズボン挟持片１４と第２のズボン挟持片１５の位置を独立して自由に設定することが可能となる。
【産業上の利用可能性】
【００３０】
本考案は、ズボンの幅が太いものから細いものまで一本でズボンを横杆の中央部に挟持でき、ハンガーの傾きやズボンのずり落ちを防止できる衣料用ハンガーとして、クリーニング業界、あるいは一般家庭において、好適に利用することができる。
【符号の説明】
【００３１】
１  フック部
２  肩部
３  横杆
３ａ  挟持片受け部
３ｂ  壁部
４  第１のズボン挟持片
４ａ  先端部
４ｂ  係止部
４ｃ  ロック片
４ｄ  凸部
４ｅ  凹部
５  第２のズボン挟持片
５ａ  先端部
１１  フック部
１２  肩部
１３  横杆
１４  第１のズボン挟持片
１４ａ  先端部
１５  第２のズボン挟持片
１５ａ  先端部
【図１】
0003158192.tif 000003
【図２】
0003158192.tif 000004
【図３】
0003158192.tif 000005
【図４】
0003158192.tif 000006
【図５】
0003158192.tif 000007